(57)【特許請求の範囲】
【請求項１】
パチンコ球を貯留する皿部の底壁に球抜き孔を開設すると共に、前記底壁の下面に設けられる支持枠に前記球抜き孔を常に閉じる方向に付勢部材で付勢した開閉板を移動自在に設け、前記開閉板を前記球抜き孔を開放する位置に移動させることにより前記皿部のパチンコ球を球抜きするようにしたパチンコ機における球受皿の球抜き装置において、
前記球抜き孔を開設した前記皿部の底壁にパチンコ球が落入する落入孔を穿設し、前記開閉板には前記球抜き孔を開放する位置で前記落入孔に落入したパチンコ球を利用して該開閉板を係止する係止部を設け、前記落入孔に落入したパチンコ球はその球心より下部分が該落入孔の側縁に当接するようにし、
前記落入孔のパチンコ球に前記皿部内のパチンコ球の重量がかかることにより前記開閉板を前記球抜き孔を開放する位置に係止保持すると共に、球重量から解放されると該開閉板の係止を解除し、該開閉板を該球抜き孔を閉じる位置に自動復帰させるようにしたことを特徴とするパチンコ機における球受皿の球抜き装置。
【請求項２】
前記係止部を段部とした請求項１記載のパチンコ機における球受皿の球抜き装置。
【請求項３】
前記係止部を凹窪部とした請求項１記載のパチンコ機における球受皿の球抜き装置。
【請求項４】
前記係止部をパチンコ球が落下しない凹孔とした請求項１記載のパチンコ機における球受皿の球抜き装置。
【請求項５】
前記開閉板を球抜き孔の開放位置で、前記落入孔に位置するパチンコ球にかかる球重量により下動させるようにした請求項１記載のパチンコ機における球受皿の球抜き装置。
【発明の詳細な説明】
【０００１】
【発明の属する技術分野】
本発明は、パチンコ球を貯留する球受皿の底壁に球抜き孔を開設し、該球受皿の底壁の下面に設けた開閉板を摺動または回動させることにより球抜き孔を開放して球抜きするようにしたパチンコ機における球受皿の球抜き装置に関し、特に開閉板を球抜き孔を開放する位置に停止保持させるようにしたパチンコ機における球受皿の球抜き装置に関するものである。
【０００２】
【従来の技術】
従来、開閉板を係止部材によって球抜き位置に係止し、押圧部材の押圧によってその係止を解除するようにした球受皿の球抜き装置は知られている（例えば特公平３−５３９５４号公報参照）。
【０００３】
【発明が解決しようとする課題】
従来の球受皿の球抜き装置は、多くの部品を必要として構造が複雑で、組立に手間が掛かってコスト高になるという問題があった。また、皿部にパチンコ球がない状態でも開閉板を摺動させると球抜き位置に停止保持されてしまい、開閉板の停止状態を解除するためには必ず停止解除操作をしなければならなかった。このため、球受皿のパチンコ球の球抜きが終わっても解除操作をするのを忘れて、球受皿が球抜き状態に置かれたままとなり、次の遊技者に迷惑を及ぼしたり店員がいちいち解除操作をしなければならないという問題があった。
【０００４】
本発明は、従来の技術の有するこのような問題点に鑑みてなされたものであり、その目的とするところは、簡単な構造で確実に開閉板を球抜き位置に停止保持させることができると共に、球受皿のパチンコ球が抜き取られると自動的に停止状態を解除して、開閉板を球抜き解除位置に復帰させることができるパチンコ機における球受皿の球抜き装置を提供しようとするものである。
【０００５】
【課題を解決するための手段】
上記目的を達成するために、本発明は、パチンコ球を貯留する皿部の底壁に球抜き孔を開設すると共に、底壁の下面に設けられる支持枠に球抜き孔を常に閉じる方向に付勢部材で付勢した開閉板を移動自在に設け、開閉板を球抜き孔を開放する位置に移動させることにより皿部のパチンコ球を球抜きするようにしたパチンコ機における球受皿の球抜き装置において、前記球抜き孔を開設した皿部の底壁にパチンコ球が落入する落入孔を穿設し、開閉板には球抜き孔を開放する位置で前記落入孔に位置するパチンコ球を利用して開閉板を係止する係止部を設け、落入孔のパチンコ球にかかる前記皿部の球重量により開閉板を球抜き孔を開放する位置に係止保持すると共に、球重量から解放されると開閉板の係止を解除し、該開閉板を球抜き孔を閉じる位置に自動復帰させるようにした。
【０００６】
前記係止部を段部としてパチンコ球を係止するようにした。
【０００７】
前記係止部を凹窪部としてパチンコ球を係止するようにした。
【０００８】
前記係止部をパチンコ球が落下しない凹孔としてパチンコ球を係止するようにした。
【０００９】
また、落入孔に落入したパチンコ球を利用した係合を解除するために、前記係止部は落入孔に落入したパチンコ球の半径より下部分が落入孔に当接する位置で係止するのがよい。
【００１０】
また、開閉板の係止状態を確実にするために、前記開閉板を球抜き孔の開放位置で、前記落入孔に位置するパチンコ球にかかる球重量により下動させるのが好ましい。
【００１１】
さらに、皿部にパチンコ球が残らないように、前記落入孔を開閉板の移動方向と直交する位置であり、かつ球抜き孔と連通して設けるのがよい。
【００１２】
前記した本発明によれば、皿部にパチンコ球が貯留されている状態で開閉板を付勢部材の付勢に抗して球抜き孔を開放する位置に移動させると、落入孔に位置するパチンコ球を利用すると共に、該パチンコ球にかかる球重量によって開閉板を球抜き孔を開放する位置に停止保持し、球抜き孔から球が抜けて、落入孔に位置するパチンコ球が皿部のパチンコ球の球重量から解放されると開閉板の停止状態が自動的に解除され、開閉板を球抜き孔を閉じる位置に自動復帰させる。
【００１３】
なお、本発明のパチンコ機における球受皿の球抜き装置は、パチンコ機の前面枠の前面に設けられる打球供給用の上部球受皿または上部球受皿の余剰球を貯留する下部球受皿のいずれにも適用可能である。
【００１４】
また、本発明の球抜き装置は、球抜き孔を開閉する開閉板が前後方向または左右方向に摺動自在に設けられたもの、あるいは回動自在に設けられたものにも適用可能である。
【００１５】
【発明の実施の形態】
以下に本発明の第１実施の形態を図面と共に説明する。図１はパチンコ機の正面図、図２は下部球受皿の斜視図、図３は下部球受皿の分解斜視図である。パチンコ機１の前面に額縁状の前面枠２が開閉自在に設けられ、該前面枠２にガラス扉枠３と前面板４が装着される。前記ガラス扉枠３の後側には遊技盤５が設けられ、前記前面板４の前面に上部球受皿６が取付けられる。また、前面枠２の下方部前面には上部球受皿６の余剰球を貯留する下部球受皿７が装着されている。
【００１６】
下部球受皿７は、図２および図３に示すように多量のパチンコ球を貯留する皿部８と該皿部８の上部に被着させるカバー部材９とにより形成されている。そして、皿部８の底壁１０に複数のパチンコ球を同時に落下させる球抜き孔１１を開設すると共に、該球抜き孔１１とは別に少なくとも１個のパチンコ球が落入する落入孔１２を穿設している。また底壁１０は球抜き孔１１に向って下傾しており、皿部８に貯留されたパチンコ球がすべて球抜き孔１１に向うようにしている。１３は前記皿部８の底壁１０の球抜き孔１１を開閉する開閉板であり、該開閉板１３は皿部８の底壁１０下面と該底壁１０下面にビス着される支持枠１４との間に移動自在に装着されており、支持枠１４に内装した付勢部材としてのスプリング１５の弾性により常に球抜き孔１１と落入孔１２を閉じる方向に付勢されている。
【００１７】
前記開閉板１３の前側縁には支持枠１４の切欠凹部１４ａから外方に突出する操作部１６が突設されており、該操作部１６を手で操作することによって開閉板１３を移動し得るようにしている。また開閉板１３は、常には球抜き孔１１および落入孔１２を閉塞しており、開閉板１３を球抜き孔１１を開放させる位置で前記落入孔１２に落入したパチンコ球Ｂによって開閉板１３を係止する係止部としての段部１７を設けている。該段部１７は図６（ｂ）に示すように、落入孔１２に落入したパチンコ球の半径より下部分が落入孔１２に当接する高さが選ばれる。また、段部１７の角部を面取して磨耗し難くするのがよい。１８は開閉板１３下面に設けられた前記スプリング１５の一端を収納する収納部である。
【００１８】
前記支持枠１４には図３に示すように球抜き孔１１と相対する位置に、球抜き孔１１とほぼ同じ大きさの透孔１９が開設されている。２０は前記開閉板１３の先端を支持する支持部、２１はスプリング１５の他端を嵌めるボスである。
【００１９】
次に図面を参照して球受皿の球抜きの作用を説明する。通常開閉板１３は図４および図６（ａ）に示すようにスプリング１５の付勢により球抜き孔１１と落入孔１２を閉塞している。この状態で操作部１６に指を掛けて開閉板１３をスプリング１５の付勢に抗して球抜き孔１１を開放する側へ移動させると、皿部８に貯留されているパチンコ球のうち１個が落入孔１２から自然に段部１７を落下する。そして、段部１７を落ちたパチンコ球Ｂは図６（ｂ）に示すように、そのほぼ半径部分が落入孔１２の側縁に当接した状態となり、パチンコ球Ｂが開閉板１３の復動動作によりに落入孔１２の端縁と段部１７に挟まれ、開閉板１３を係止し、さらに皿部８のパチンコ球の球重量がパチンコ球Ｂにかかることによって係合を確実なものとし、操作部１６から手を離しても、図５に示すように開閉板１３は球抜き孔１１を開放する状態に停止保持されることになる。そして、皿部８のパチンコ球は球抜き孔１１から透孔１９を落下して抜き取られる。
【００２０】
そして図６（ｃ）に示すように、皿部８のパチンコ球が抜き取られて、パチンコ球Ｂにかかる球重量が減少すると、スプリング１５の付勢力により、段部１７がパチンコ球Ｂの球心より下方を押すことにより、落入孔１２のパチンコ球Ｂを図６（ｃ）矢印方向に押出し係合が解除され、図６（ｄ）に示すように開閉板１３が復動し球抜き孔１１を閉じることになる。
【００２１】
また、落入孔１２に落入したパチンコ球Ｂが皿部８内に戻され、球抜き孔１１から落下するよりも先に開閉板１３が球抜き孔１１を閉塞して、皿部８内にパチンコ球が残った場合には、再度開閉板１３を開方向に移動すれば、開閉板１３はロックすることなく残ったパチンコ球を確実に抜き取ることができる。
【００２２】
また、例えば開閉板１３を球抜き可能な半開状態に摺動させたとき、段部１７が落入孔１２の下方に位置しないように球抜き孔１１、落入孔１２および段部１７の相互位置関係を設定することにより、開閉板１３がロックすることなく皿部８に貯留されるパチンコ球を少量ずつ球抜きしながら遊技を行うことができ、遊技者にとって好都合となる。
【００２３】
このように構成された本実施の形態によれば、開閉板１３を球抜き孔１１を開放する位置に摺動させると、落入孔１２に位置するパチンコ球Ｂが、皿部８のパチンコ球の球重量により段部１７と落入孔１２に挟まれたままの状態となるので、開閉板１３を球抜き孔１１を開放する位置に停止保持させることができ、皿部８の球重量から解放されることにより段部１７が落入孔１２に位置するパチンコ球Ｂを落入孔１２から押出し、開閉板１３の停止を自動的に解除することができる。
【００２４】
また、図７ないし図９は段部１７の代りに、係止部として開閉板１３を球抜き孔１１を開放させる位置で前記落入孔１２に合致する凹窪部２２を設けている。該凹窪部２２は、深さがパチンコ球の半径以下であり、図９（ｂ）に示すように球抜き孔１１を開放し、落入孔１２に合致した際に凹窪部２２に位置するパチンコ球の球心がほぼ落入孔１２に位置するのが好ましい。
【００２５】
次に図面を参照して球受皿の球抜きの作用を説明する。通常開閉板１３は図７および図９（ａ）に示すようにスプリング１５の付勢により球抜き孔１１と落入孔１２を閉塞している。この状態で操作部１６に指を掛けて開閉板１３をスプリング１５の付勢に抗して球抜き孔１１を開放する側へ移動させると、凹窪部２２が落入孔１２に合致して該落入孔１２から皿部８に貯留されているパチンコ球のうち１個が自然に凹窪部２２に落入する。そして、凹窪部２２のパチンコ球Ｂは開閉板１３の復動動作により図９（ｂ）に示すように、そのほぼ半径部分が落入孔１２の側縁に当接した状態となり、パチンコ球Ｂにより開閉板１３を係止し、さらに他のパチンコ球の球重量がパチンコ球Ｂにかかることによって、操作部１６から手を離しても、図８に示すように開閉板１３は球抜き孔１１を開放する状態に停止保持されることになる。
【００２６】
そして図９（ｃ）に示すように、皿部８のパチンコ球が抜き取られて、パチンコ球Ｂにかかる球重量が減少すると、スプリング１５の付勢力により、凹窪部２２の端縁がパチンコ球Ｂの球心より下方を押すことにより、落入孔１２のパチンコ球を皿部８に押出し係合が解除され、図９（ｄ）に示すように開閉板１３が復動し球抜き孔１１を閉じることになる。
【００２７】
なお、前記凹窪部２２を図１０に示すように凹孔２３の係止部としてもよく、該凹孔２３はパチンコ球が落下しない大きさが選ばれ、図１０（ａ）〜（ｄ）に示すように落入孔１２と合致し、凹孔２３にパチンコ球Ｂが嵌まり開閉板１３をロックし、前記実施の形態と同じように球抜きすることができる。また、図１１（ａ），（ｂ）に示すように開閉板１３を支軸２４を中心に回動させることにより球抜き孔１１を開閉する球抜き構造のもの、あるいは図１２（ａ），（ｂ）に示すように開閉板１３を前後方向へ摺動させることにより球抜き孔１１を開閉する球抜き構造の場合でも、開閉板１３の形状や球抜き孔１１と落入孔１２との位置関係を変更することによって同じように適用可能である。
【００２８】
図１３および図１４は、開閉板１３を球抜き孔１１の開放位置でパチンコ球の球重量により下動させるようにした実施の形態を示し、支持部２０の球抜き孔１１の開放側をテーパー面２０ａとしている。
【００２９】
次にこの実施の形態の球受皿の球抜きの作用を説明する。通常開閉板１３は図１４（ａ）に示すように支持部２０に支持され、球抜き孔１１を閉塞している。そして、操作部１６に指を掛けて開閉板１３をスプリング１５の付勢に抗して球抜き孔１１を開放する側へ移動させると、開閉板１３が支持部２０の支持から外れ、落入孔１２に位置するパチンコ球Ｂにかかる球重量によってテーパー面２０ａに沿って下動しながら球抜き孔１１を開放し、皿部８のパチンコ球は底壁１０の傾斜によって球抜き孔１１から落下し始める。そして図１４（ｂ）に示すように、開閉板１３を球抜き孔１１を開放する位置まで移動させると、落入孔１２に凹窪部２２が合致し、該凹窪部２２に位置するパチンコ球Ｂは、そのほぼ半径より上部分が落入孔１２の側縁に当接した状態となり、開閉板１３の復動動作によりパチンコ球Ｂが落入孔１２の端縁と凹窪部２２の端縁に挟まれ、開閉板１３を係止し、さらに皿部８のパチンコ球の球重量がパチンコ球Ｂにかかることによって、操作部１６から手を離しても開閉板１３を球抜き孔１１を開放する状態に停止保持することになる。
【００３０】
そして、皿部８のパチンコ球は球抜き孔１１から透孔１９を落下して抜き取られ、パチンコ球Ｂにかかる球重量が減少すると、図１４（ｃ）に示すように、スプリング１５の付勢力により開閉板１３が上動すると共に、凹窪部２２の端縁がパチンコ球Ｂの球心より下方を押すことにより、落入孔１２のパチンコ球を図１４（ｃ）矢印方向に押出し係合が解除され、スプリング１５の付勢力により図１４（ｄ）に示すように開閉板１３が自動的に復動し、支持部２０に支持されて球抜き孔１１を閉じることになる。
【００３１】
このように、皿部１０の貯留球の球重量により開閉板１３を下動させることにより、パチンコ球Ｂが深く嵌まりこみ係合がより確かなものとなる。
【００３２】
なお、前記落入孔１２を球抜き孔１１と別に設けたが、図１５および図１６に示すように球抜き孔１１と連通状に設けるようにしてもよい。該落入孔１２は開閉板１３の移動方向と直交する位置で、所定の角度で傾斜状に設けられている。これにより、開閉板１３を係止していたパチンコ球Ｂを確実に球抜き孔１１から抜くことができ、皿部８にパチンコ球を１個も残すことなく球抜きをすることができる。
【００３３】
【発明の効果】
以上説明したことから明らかなように、本発明における球受皿の球抜き装置は、落入孔に位置するパチンコ球を利用すると共に、該パチンコ球にかかる皿部の球重量を利用して開閉板を球抜き位置に停止保持させ、球受皿のパチンコ球が抜けることにより落入孔に位置するパチンコ球が球重量から解放され開閉板の停止状態を自動的に解除するようにしたものであるから、わざわざ停止解除操作をする必要がなくなる。従って、いたずらや不注意によって球受皿を球抜き状態に放置されるような事態を確実に防止することができる。
【００３４】
さらに、従来の部品点数で構成することができて、余分な可動部品が不要であるから構造が簡単であり、万一何らかのトラブルにより開閉板を球抜き孔の開放状態が保持できなくなっても、何の支障もなく球抜きすることが可能である。
【図面の簡単な説明】
【図１】パチンコ機の正面図である。
【図２】下部球受皿の斜視図である。
【図３】下部球受皿の分解斜視図である。
【図４】球抜き孔を閉塞した状態の下部球受皿の平面図である。
【図５】球抜き孔を開放した状態の下部球受皿の平面図である。
【図６】（ａ）〜（ｄ）は球抜きの作用説明図である。
【図７】係止部を凹窪部とした下部球受皿の平面図である。
【図８】図７の球抜き孔を開放した状態の下部球受皿の平面図である。
【図９】（ａ）〜（ｄ）は図７の球受皿の球抜きの作用説明図である。
【図１０】（ａ）〜（ｄ）は係止部を凹孔とした球受皿の球抜きの作用説明図である。
【図１１】（ａ），（ｂ）は開閉板の回動により球抜き孔を開閉する下部球受皿の要部を示す作用説明図である。
【図１２】（ａ），（ｂ）は開閉板の前後方向の摺動により球抜き孔を開閉する下部球受皿の要部を示す作用説明図である。
【図１３】他の実施の形態の下部球受皿の分解斜視図である。
【図１４】（ａ）〜（ｄ）は図１３の球受皿の球抜きの作用説明図である。
【図１５】球抜き孔と落入孔を連通させた下部球受皿の平面図である。
【図１６】図１５の球抜き孔を全開した状態の平面図である。
【符号の説明】
６                上部球受皿
７                下部球受皿
８                皿部
１０              底壁
１１              球抜き孔
１２              落入孔
１３              開閉板
１５              スプリング（付勢部材）
１７              段部（係止部）
２２              凹窪部（係止部）
２３              凹孔（係止部）
Ｂ                パチンコ球
【図１】
0004370016.tif 000002
【図２】
0004370016.tif 000003
【図３】
0004370016.tif 000004
【図４】
0004370016.tif 000005
【図５】
0004370016.tif 000006
【図６】
0004370016.tif 000007
【図７】
0004370016.tif 000008
【図８】
0004370016.tif 000009
【図９】
0004370016.tif 000010
【図１０】
0004370016.tif 000011
【図１１】
0004370016.tif 000012
【図１２】
0004370016.tif 000013
【図１３】
0004370016.tif 000014
【図１４】
0004370016.tif 000015
【図１５】
0004370016.tif 000016
【図１６】
0004370016.tif 000017